(57)【要約】【目的】本発明の目的は、防水性能を向上でき、防水層を形成する防水材を充填しやすいガラスブロックパネルおよびガラスブロックパネル用エキスパンション材を提供することである。【構成】複数個の建築用ガラスブロックＧと、ガラスブロックＧ、Ｇ相互間に設けられたモルタル目地１３から構成され、一部のガラスブロックＧ、Ｇ間の縦方向にエキスパンション目地５１が配設されてなるガラスブロックパネル６０において、前記エキスパンション目地５１は、端面の全長にわたって楔状部５７ｂを有するエキスパンション材５２と、楔状部５７ｂと接する防水層５４を備えてなることを特徴とする。【選択図】　　　　図１
2004036230.tif 000002
【特許請求の範囲】
【請求項１】
複数個の建築用ガラスブロックと、ガラスブロック相互間に設けられたモルタル目地から構成され、一部のガラスブロック間の縦方向にエキスパンション目地が配設されてなるガラスブロックパネルにおいて、前記エキスパンション目地は、端面の全長にわたって楔状部を有するエキスパンション材と、楔状部と接する防水層を備えてなることを特徴とするガラスブロックパネル。
【請求項２】
エキスパンション材が防水層を隔てるようにして配設されてなることを特徴とする請求項１に記載のガラスブロックパネル。
【請求項３】
エキスパンション材の楔状部には、突起、あるいは、窪みが形成されてなることを特徴とする請求項１または２に記載のガラスブロックパネル。
【請求項４】
エキスパンション材の楔状部には、先端部から中央部にかけて切り込みが形成されてなることを特徴とする請求項１〜３のいずれかに記載のガラスブロックパネル。
【請求項５】
エキスパンション材が楔状部を有するキャップ材と、ボディー材からなることを特徴とする請求項１〜４のいずれかに記載のガラスブロックパネル。
【請求項６】
端面の全長にわたって楔状部を有することを特徴とするガラスブロックパネル用エキスパンション材。
【請求項７】
楔状部には、突起、あるいは、窪みが形成されてなることを特徴とする請求項６に記載のガラスブロックパネル用エキスパンション材。
【請求項８】
楔状部には、先端部から中央部にかけて切り込みが形成されてなることを特徴とする請求項６または７に記載のガラスブロックパネル用エキスパンション材。
【請求項９】
楔状部を有するキャップ材とボディー材からなることを特徴とする請求項６〜８のいずれかに記載のガラスブロックパネル用エキスパンション材。
【発明の詳細な説明】
【０００１】
【発明の属する技術分野】
本発明は、ガラスブロックパネルおよびガラスブロックパネル用エキスパンション材に関するものである。
【０００２】
【従来の技術】
複数の建築用ガラスブロックを用いたガラスブロックパネルは断熱性に優れ、採光性を有するため従来から建築物のパネルとして広く用いられている。
【０００３】
しかしながら、図６に示すような平面で幅が４ｍを超えるガラスブロックパネル１０、図７に示すような曲面を有するガラスブロックパネル１１、あるいは、図８に示すようなコーナー部を有するガラスブロックパネル１２は、温度上昇によるモルタル目地１３の膨張や地震によってガラスブロックＧやモルタル目地１３に応力が加わると、ガラスブロックＧの破損やモルタル目地１３のひび割れが発生しやすいため、ガラスブロックパネルの室内側へ雨水が侵入したり、美観を損ねるという問題点を有している。
【０００４】
その対策として、これらのガラスブロックパネル１０、１１、１２には、温度上昇によるモルタル目地１３の膨張や地震によってガラスブロックＧやモルタル目地１３に加わる応力を緩和するためにエキスパンション目地１４が設けられている。
【０００５】
エキスパンション目地１４は、ガラスブロックパネルの上端から下端に達するように配設され、図６に示すような平面で幅が４ｍを超えるガラスブロックパネル１０の場合には、およそ４ｍごとに配設され、図７に示すような曲面を有するガラスブロックパネル１１の場合には曲面の端部１１ａ、および曲面の端部１１ａからおよそ４ｍごとに、さらに曲率が９０度をこえる場合には曲面の中央部１１ｂに配設され、図８に示すようなコーナー部１２ａを有するガラスブロックパネル１２の場合にはコーナーガラスブロックＧ´の両側の近傍に配設される。
【０００６】
次に、図９を用いてエキスパンション目地１４を有するガラスブロックパネル１０の構成を具体的に説明する。躯体１５の開口部の内周面１５ａには、金属枠１６が配設されており、この金属枠１６の内周面１６ａには縦力骨１７および横力骨１８を支えるためのアンカーピース１９が、金属枠１６の縦枠１６ｂおよび上枠（図示せず）の内周面１６ｂａには緩衝材２０が配設され、内周側面１６ｃにはモルタル２１と金属枠１６を縁切するすべり材２２が配設されている。金属枠１６には目地幅を確保するようにモルタル２１が配設され、ガラスブロックＧ、Ｇ…が積み重ねられてなり、ガラスブロックＧ、Ｇ間には縦力骨１７、横力骨１８およびモルタル２１が配設されて、モルタル目地１３が形成されている。
【０００７】
エキスパンション目地１４は、モルタル目地１３と異なり、中央に縦力骨１７のかわりにガラスブロックパネル用エキスパンション材（以後エキスパンション材と略す）２３が使用される。また、横力骨１８はエキスパンション目地１４と接触しないように、エキスパンション目地１４の近傍までモルタル目地１３の内部に配設されている。横力骨１８の配設されていないガラスブロックＧ、Ｇ間のモルタル目地１３の内部には横力骨１８のかわりに２本のつなぎ筋２４がエキスパンション材２３を垂直に貫通し、横方向に並列に配設されている。つなぎ筋２４は、ガラスブロック約３個分の長さを有する鉄筋とそれを覆う樹脂チューブ（図示せず）から構成されているが、エキスパンション目地１４に応力が加わった際に鉄筋は樹脂チューブに沿って摺動できるように樹脂チューブとは接着していない。なお、樹脂チューブは少なくとも鉄筋の一部を覆うものであればよい。
【０００８】
上記したガラスブロックパネル１０、１１、１２は、温度が上昇すると、ガラスブロックＧ、Ｇ間のモルタル目地１３が膨張するため、ガラスブロックＧやモルタル目地１３にはガラスブロックパネル１０、１１、１２の縦方向（縦力骨１７と平行な方向）および横方向（横力骨１８と平行な方向）に応力が発生するが、縦方向の応力はガラスブロックパネル１０、１１、１２の縦方向の長さが短いため金属枠１６の上枠の内周面に配設された緩衝材２０によって緩和される。一方、横方向の応力は、弾力性を有するエキスパンション材２３が収縮することによって緩和される。
【０００９】
また、地震が発生した場合には、ガラスブロックパネル１０、１１、１２に、あらゆる方向から応力が加わるが、ガラスブロックパネル１０、１１、１２の縦方向および横方向に加わる応力は、温度上昇によってモルタル目地１３が膨張した場合と同様に緩和される。また、ガラスブロックパネル１０、１１、１２に対して垂直な方向のせん断応力、あるいは、縦方向のせん断応力は、弾力性を有するエキスパンション材２３が変形することによってそれらの応力が緩和される。
【００１０】
従来、エキスパンション目地１４としては、図１０に示すようなエキスパンション目地３０や図１１に示すようなエキスパンション目地３１が使用されていた。図１０のエキスパンション目地３０は、エキスパンション材３２と、モルタル３３と、防水層３４と、シーリング材３５と、バックアップ材３６とから構成されており、ガラスブロックＧ、Ｇの間に配設されている。なお、防水層３４は、ガラスブロックパネル３７の室内側３７ａへの雨水の侵入を防止するためにガラスブロックパネル３７の室外側３７ｂにのみ設けられている。エキスパンション材３２は、撥水性と弾力性を有する発泡合成ゴムからなる断面が略長方形の柱状体であり、両側面３２ａ、３２ａがモルタル３３と接し、端面３２ｂが防水層３４と、もう一方の端面３２ｃがバックアップ材３６と接している。シーリング材３５は、防水性能を高めるためにエキスパンション目地３０の表面に形成されている。バックアップ材３６は、シーリング材３５の伸縮を円滑にし、亀裂の発生を抑制する目的で防水層３４とシーリング材３５との間や、エキスパンション材３２とシーリング材３５との間に設けられている。
【００１１】
また、図１１のエキスパンション目地３１は、エキスパンション材４１の両側面４１ａ、４１ａがモルタル４２および防水層４３と接し、両端面４１ｂ、４１ｂがバックアップ材４４と接し、エキスパンション材４１が防水層４３を隔てるようにして配設されている以外はエキスパンション目地３１と同様に構成されている。
【００１２】
【発明が解決しようとする課題】
通常、上記したエキスパンション目地３０、３１を有するガラスブロックパネル３７、４５においては、ガラスブロックパネル３７、４５の室内側３７ａ、４５ａへの雨水の侵入は防水層３４、４３やシーリング材３５、４６によって阻止される。また、仮に、シーリング材３５、４６が長期間の使用によって劣化してシーリング材３５、４６に亀裂が生じても、防水層３４、４３によってガラスブロックパネル３７、４５の室内側３７ａ、４５ａへの雨水の侵入が阻止される。
【００１３】
しかしながら、温度上昇によるモルタル目地１３の膨張や地震によって、エキスパンション目地３０に応力が加わると、弾力性を有しない防水層３４は伸縮できないため、その応力によって亀裂が生じやすい。防水層３４の亀裂がモルタル３３まで達し、さらにシーリング材３５が長期間の使用によって劣化して亀裂が生じると、バックアップ材３６には防水性能がないため、雨水がシーリング材３５と防水層３４の亀裂を通って室内側３７ａに侵入しやすい。
【００１４】
一方、エキスパンション目地３１は、エキスパンション材４１が防水層４３を隔てるようにして配設されているため、温度上昇によるモルタル目地１３の膨張や地震によって応力が加わっても、防水層４３に応力が加わりにくく、防水層４３には亀裂が生じにくい。しかし、エキスパンション材４１と防水層４３との接触面積が小さいため、温度変化によるモルタル目地１３の膨張と収縮や地震によってエキスパンション目地３１が伸縮を繰り返すと、エキスパンション材４１の両側面４１ａ、４１ａと防水層４３との接着がはがれやすい。エキスパンション材４１と防水層４３との接着がはがれて隙間が生じ、さらにシーリング材４６が長期間の使用によって劣化して亀裂が生じると、バックアップ材４４には防水性能がないため、雨水がシーリング材４６の亀裂、および、エキスパンション材４１と防水層４３との隙間を通って室内側４５ａに侵入しやすい。
【００１５】
また、このエキスパンション目地３１は、エキスパンション材４１とガラスブロックＧとの間隔が狭いため、防水層４３を形成する防水材を充填しにくいという問題点も有していた。
【００１６】
本発明の目的は、上記問題を鑑みなされたものであり防水性能を向上でき、防水層を形成する防水材を充填しやすいガラスブロックパネルおよびガラスブロックパネル用エキスパンション材を提供することである。
【００１７】
【課題を解決するための手段】
本発明のガラスブロックパネルは、複数個の建築用ガラスブロックと、ガラスブロック相互間に設けられたモルタル目地から構成され、一部のガラスブロック間の縦方向にエキスパンション目地が配設されてなるガラスブロックパネルにおいて、前記エキスパンション目地は、端面の全長にわたって楔状部を有するエキスパンション材と、楔状部と接する防水層を備えてなることを特徴とする。
【００１８】
また、本発明のガラスブロックパネル用エキスパンション材は、端面の全長にわたって楔状部を有することを特徴とする。
【００１９】
【作用】
本発明のガラスブロックパネルは、エキスパンション目地が、端面の全長にわたって楔状部を有するエキスパンション材と、楔状部と接する防水層を備えてなるため、優れた防水性能を有している。すなわち、楔状部によってエキスパンション材と防水層との接触面積が大きくなり、温度変化によるモルタル目地の膨張と収縮や地震によってエキスパンション目地が伸縮を繰り返してもエキスパンション材と防水層との界面において、両者が剥がれにくいため隙間が生じにくく、雨水がガラスブロックパネルの室内側に侵入しにくい。
【００２０】
また、エキスパンション材が端面の全長にわたって楔状部を有するため、エキスパンション材とガラスブロックとの間隔が広くなり、防水層を形成する防水材を充填しやすい。
【００２１】
本発明のガラスブロックパネルは、エキスパンション材が防水層を隔てるようにして配設されてなると、さらに防水性能が向上するため好ましい。すなわち、エキスパンション材が防水層を隔てるようにして、つまり２分割するようにして配設されてなると、エキスパンション材が応力を緩和できるため、防水層に亀裂自体が生じにくいからである。また、防水層がエキスパンション材の先端を覆うように繋がっていると、防水層の薄いエキスパンション材の先端付近にだけ亀裂が発生するが、この亀裂から雨水が侵入しても、エキスパンション材と防水層との間に隙間が生じにくく雨水がガラスブロックパネルの室内側に侵入しにくい。
【００２２】
本発明のガラスブロックパネルは、エキスパンション材の楔状部に、突起、あるいは、窪みが形成されていると防水層との接触面積が大きくなり、エキスパンション材と防水層との接着力が強くなり、防水性能がさらに高くなるため好ましい。
【００２３】
本発明のガラスブロックパネルは、エキスパンション材の楔状部に、先端部から中央部にかけて切り込みが形成されてなると、地震によりガラスブロックパネルの縦方向にせん断応力が加わっても、エキスパンション材が切り込みでずれて変形することによって応力を緩和しやすいため好ましい。
【００２４】
この切り込みは、エキスパンション材の幅の１５〜３０％の長さを有することが好ましい。１５％よりも短いと上記の効果が得られにくく、３０％よりも長いと、ガラスブロックパネルの室内側に雨水が侵入しやすくなる。すなわち、つなぎ筋がエキスパンション材を垂直に貫通して配設されているため、切り込みが３０％よりも長いと、つなぎ筋が貫通するためのエキスパンション材の貫通孔と切り込みがつながり、雨水が切り込みからその貫通孔を通ってガラスブロックパネルの室内側に侵入しやすくなる。
【００２５】
エキスパンション材の形状が複雑であり一体成形が困難な場合、楔状部を有するキャップ材とボディー材との２種類の部材から構成すると、エキスパンション材は容易に、しかも安価に作製できる。例えば、切り込みを有するエキスパンション材が押出成形によって一体成形されると、楔状部の先端部が繋がって作製されるため、繋がった部分を切断する必要があるが、キャップ材の先端部が繋がらないように成形し、キャップ材とボディー材を連結する際に、キャップ材の先端部が接するようにすれば、後処理の必要がない。また、キャップ材は、防水性能を考慮して高価な発泡合成ゴムを用いて作製する必要があるが、ボディー材は安価な発泡天然ゴムであってもよく、発泡天然ゴムの板材を切断加工するだけで作製できるため、発泡合成ゴムで一体成形したエキスパンション材より費用を抑えることも可能となる。なお、上記した発泡合成ゴムとしては、ＥＰＤＭゴム、クロロプレンゴムおよびシリコーンゴムが好適である。
【００２６】
本発明のガラスブロックパネルは、防水層がセメントと樹脂エマルジョンを、必要に応じて水を添加して混練した樹脂モルタルで形成されてなると好ましい。セメントとしては、普通ポルトランドセメントや既調合化粧目地セメントが好ましい。樹脂エマルジョンは、樹脂が水中で自己乳化、あるいは、界面活性剤によって乳化されたものであり、アクリルエマルジョンやＳＢＲエマルジョンが使用されていると防水性能が高められるため好ましい。
【００２７】
防水層の厚みは、３〜５ｍｍであり、３ｍｍよりも薄いと防水効果が期待できない。一般に、エキスパンション目地の防水層はモルタル目地の防水層と同じ厚みで形成されてなるため、５ｍｍよりも厚いと横方向のモルタル目地のモルタル充填量が少なくなり、施工途中においてガラスブロックパネルの室外側にガラスブロックが傾きやすくなるため好ましくない。
【００２８】
シーリング材は、シリコーンゴム、ポリサルファイドゴム、ウレタンゴムであると弾力性、耐候性に優れるため好ましい。
【００２９】
バックアップ材は、シーリング材と接着しにくい材質であると、シーリング材の亀裂の発生を抑制できるため好ましく、発泡ポリエチレンなどが使用可能である。
【００３０】
【実施例】
以下、本発明のガラスブロックパネルを実施例に基づいて詳細に説明する。
【００３１】
図１は、本発明のガラスブロックパネルにおいて使用されるエキスパンション目地の水平断面図であり、図２は本発明のガラスブロックパネル用エキスパンション材を示し、（ａ）は、斜視図であり、（ｂ）は、平面図である。図３は、本発明のガラスブロックパネル用エキスパンション材のキャップ材を示す斜視図であり、図４および図５は本発明の他の実施形態のガラスブロックパネル用エキスパンション材を示し、それぞれ（ａ）は、斜視図であり、（ｂ）は、平面図である。
【００３２】
図１に示すように、エキスパンション目地５１は、エキスパンション材５２と、モルタル５３と、防水層５４と、シーリング材５５と、バックアップ材５６とから構成されており、ガラスブロックＧ、Ｇ間に形成されている。また、エキスパンション材５２は、発泡合成ゴム（ＥＰＤＭ）製のキャップ材５７と発泡天然ゴム製のボディー材５８から構成されている。
【００３３】
図２に示すように、エキスパンション材５２は、キャップ材５７の連結部５７ａがボディー材５８の連結部５８ａを覆うように連結している。
【００３４】
エキスパンション材５２は、ガラスブロックパネルの高さに相当する長さを有しており、キャップ材５７に楔状部５７ｂを有し、楔状部５７ｂの楔表面５７ｂａ、５７ｂａにはそれぞれ窪み５７ｃが全長にわたって設けられている。また、切り込み５７ｄがキャップ材５７の先端部５７ｅから連結部５７ａ付近にかけてボディー材５８の側面５８ｂと略平行に全長にわたって設けられている。なお、エキスパンション材５２の幅Ｗは７５ｍｍであり、厚みＴは１０ｍｍであり、切り込み５７ｄの長さＬはエキスパンション材５２の幅Ｗの２７％である。
【００３５】
図３に示すように、キャップ材５７は、連結部５７ａがせばまって先端部５７ｅが開いた形状を有しているが、ボディー材５８が、キャップ材５７の連結部５７ａに嵌着されてなることによって、ボディー材５８の連結部５８ａがキャップ材５７ａによって挟まれて固定され、キャップ材５７の先端部５７ｅ、５７ｅ同士が当接する。
【００３６】
エキスパンション材５２は、キャップ材５７の楔状部５７ｂがガラスブロックパネル６０の室外側６０ａで防水層５４と接し、防水層５４を隔てるようにエキスパンション目地５１の中央に配設されている。キャップ５７の先端部５７ｅとボディー材５８の端面５８ｃは発泡ポリエチレンからなるテープ状のバックアップ材５６と接している。モルタル５３は、ボディー材５８の両側面５８ｂ、５８ｂとガラスブロックＧの間に充填されている。また、シリコーンゴム製のシーリング材５５は、室外側６０ａおよび室内側６０ｂのバックアップ材５６、５６の外面５６ａに形成されている。なお、防水層５４は、普通ポルトランドセメント１００質量部に対して、アクリルエマルジョン（固形分２３質量％）を１８質量部添加した防水材からなり５ｍｍの厚さを有している。
【００３７】
なお、上記したエキスパンション材５２のかわりに図４または図５に示すエキスパンション材６１、６２を用いることも可能である。図４のエキスパンション材６１は、キャップ材６３の楔状部６３ａの楔表面６３ａａ、６３ａａに窪み６３ｂと突起６３ｃが全長にわたって設けられている以外は、エキスパンション材５２と同様に構成されている。また、図５のエキスパンション材６２は、キャップ材６４の楔状部６４ａの楔表面６４ａａ、６４ａａに不規則に配列した略半球状の突起６４ｂが多数設けられている以外は、エキスパンション材５２と同様に構成されている。
【００３８】
上記したガラスブロックパネル６０は、エキスパンション材５２がキャップ材５７に楔状部５７ｂを有し、楔状部５７ｂと接する防水層５４を備えてなるため、エキスパンション材５２と防水層５４との接着面積が大きく、温度変化によるモルタル目地の伸縮と膨張や地震によってエキスパンション目地５１が伸縮を繰り返してもエキスパンション材５２と防水層５４の接着が剥がれることによって生じる隙間が生じにくく、雨水がガラスブロックパネル６０の室内側６０ｂに侵入しにくく、ガラスブロックパネル６０の防水性能が高くなる。
【００３９】
また、エキスパンション材５２が端面の全長にわたって楔状部５７ｂを有するため、エキスパンション材５２とガラスブロックＧとの間隔が広くなり、防水層５４を形成する防水材を充填しやすく、施工効率が向上する。
【００４０】
【発明の効果】
以上のように、本発明のガラスブロックパネルは、エキスパンション材が端面の全長にわたって楔状部を有し、楔状部と接する防水層を備えてなるため、すぐれた防水性能を有し、防水層を形成する防水材を充填しやすく施工効率も向上する。そのため、平面で幅が４ｍを超えるガラスブロックパネル、曲面を有するガラスブロックパネル、あるいはコーナー部を有するガラスブロックパネルとして好適である。
【図面の簡単な説明】
【図１】本発明のガラスブロックパネルにおいて使用されるエキスパンション目地の水平断面図である。
【図２】本発明のガラスブロックパネル用エキスパンション材を示し（ａ）は、斜視図であり、（ｂ）は、平面図である。
【図３】本発明のガラスブロックパネル用エキスパンション材のキャップ材を示す斜視図である。
【図４】本発明の他の実施形態のガラスブロックパネル用エキスパンション材を示し（ａ）は、斜視図であり、（ｂ）は、平面図である。
【図５】本発明の他の実施形態のガラスブロックパネル用エキスパンション材を示し（ａ）は、斜視図であり、（ｂ）は、平面図である。
【図６】平面で幅が４ｍを超えるガラスブロックパネルの斜視図である。
【図７】曲面を有するガラスブロックパネルの斜視図である。
【図８】コーナー部を有するガラスブロックパネルの斜視図である。
【図９】エキスパンション目地を有するガラスブロックパネルの破断状態の斜視図である。
【図１０】従来のガラスブロックパネルにおいて使用されるエキスパンション目地の水平断面図である。
【図１１】従来のガラスブロックパネルにおいて使用されるエキスパンション目地の水平断面図である。
【符号の説明】
１０、１１、１２、３７、４５、６０　　ガラスブロックパネル
１１ａ　　曲面の端部
１１ｂ　　曲面の中央部
１２ａ　　コーナー部
１３　　モルタル目地
１４、３０、３１、５１　　エキスパンション目地
１５　　躯体
１５ａ、１６ａ、１６ｂａ　　内周面
１６　　金属枠
１６ｂ　　縦枠
１６ｃ　　内周側面
１７　　縦力骨
１８　　横力骨
１９　　アンカーピース
２０　　緩衝材
２１、３３、４２、５３　　モルタル
２２　　すべり材
２３、３２、４１、５２、６１、６２　　エキスパンション材
２４　　つなぎ筋
３２ａ、４１ａ、５８ｂ　　側面
３２ｂ、３２ｃ、４１ｂ、５８ｃ　　端面
３４、４３、５４　　防水層
３５、４６、５５　　シーリング材
３６、４４、５６　　バックアップ材
３７ａ、４５ａ、６０ｂ　　室内側
３７ｂ、６０ａ　　室外側
５６ａ　　外面
５７、６３、６４　　キャップ材
５７ａ、５８ａ　　連結部
５７ｂ、６３ａ、６４ａ　　楔状部
５７ｂａ、６３ａａ、６４ａａ　　楔表面
５７ｃ、６３ｂ　　窪み
５７ｄ　　切り込み
５７ｅ　　先端部
５８　　ボディー材
６３ｃ、６４ｂ　　突起
Ｇ　　ガラスブロック
Ｇ´　　コーナーガラスブロック
Ｌ　　切り込みの長さ
Ｗ　　幅
Ｔ　　厚さ
【図１】
2004036230.tif 000003
【図２】
2004036230.tif 000004
【図３】
2004036230.tif 000005
【図４】
2004036230.tif 000006
【図５】
2004036230.tif 000007
【図６】
2004036230.tif 000008
【図７】
2004036230.tif 000009
【図８】
2004036230.tif 000010
【図９】
2004036230.tif 000011
【図１０】
2004036230.tif 000012
【図１１】
2004036230.tif 000013